(57)【要約】【課題】設置作業が簡易で、美観、強度、耐久性の向上を図る。【解決手段】碍子１３を、座部１４と、導電線を通す少なくとも２つの挿通部１７、１８を有する支持配線部１６とにより構成し、これら座部及び支持配線部をステンレス鋼により一体に、かつ薄形扁形に形成して、挿通部のうち高電圧側の導電線を通す挿通部に、硬質のゴム材などで形成し、絶縁性及び弾力性を有する筒形形状の保持部材１９を挿着固定して、高電圧側の導電線を通す挿通部１７に高電圧側の導電線を保持部材１９を介して挿通し、アース側の導電線を通す挿通部１８に直接、アース側の導電線を挿通する。【選択図】図１
0003125254.tif 000002
【実用新案登録請求の範囲】
【請求項１】
高電圧側及びアース側の導電線と、前記各導電線を並列に支持、配線する碍子とを備え、鳥類の飛来、停留する停留箇所に設置されて、鳥類に適度の電気ショックを体感させる鳥類飛来防止装置において、
前記碍子は、
座部と、
前記座部上に立ち上げられ、前記導電線を通す少なくとも２つの挿通部を有する支持配線部とを備え、
これら座部及び支持配線部は硬質の金属材により一体に、かつ薄形扁形に形成され、
前記挿通部のうち高電圧側の導電線を通す挿通部に、絶縁性及び弾力性を有する筒形形状の保持部材が挿着固定されたことを特徴とする鳥類飛来防止装置。
【請求項２】
導電線及び碍子はステンレス鋼により形成され、保持部材はゴム材により形成される請求項１に記載の鳥類飛来防止装置。
【請求項３】
導電線と、前記導電線を支持、配線する碍子とを備え、鳥類の飛来、停留する停留箇所に設置されて、前記導電線の通電により、鳥類に適度の電気ショックを体感させる鳥類飛来防止装置において、
前記碍子は、
座面及び前記座面に対して傾斜状の取付面を有するベースと、
前記ベースの取付面上に突設され、先端に前記導電線を通すリングを有する支持配線部材とを備え、
前記ベースは硬質の金属材により一体に、かつ薄形扁形に形成されて、前記取付面に取付穴が穿設され、
前記支持配線部材は絶縁性及び弾力性を有する筒状部材、及び前記筒状部材の外周に巻き付けられたスプリングにより形成され、前記ベースの取付穴に挿着固定されたことを特徴とする鳥類飛来防止装置。
【請求項４】
導電線及び碍子のベースはステンレス鋼により形成され、筒状部材はゴム材により形成される請求項３に記載の鳥類飛来防止装置。
【請求項５】
導電線と平行にアース側の導電線が設置される請求項３又は４に記載の鳥類飛来防止装置。
【考案の詳細な説明】
【技術分野】
【０００１】
本考案は、鳩や烏などの鳥類に、適度の電気ショックを体感させて、鳥類の飛来を防止する鳥類飛来防止装置に関する。
【背景技術】
【０００２】
近年、鳩や烏などの鳥類が人の住環境に飛来することが増え、これらの鳥類が例えば神社・仏閣、マンション、オフィスビル、工場など建物の高所に止まり、糞を落とすために、建物やその付近が糞で汚染される被害が増大している。このような鳥類の糞害を防ぐには、鳥類の飛来を防止する必要があり、従来から、各種の対策が講じられている。
【０００３】
その一つに、電気ショックを利用した鳥類飛来防止システムが知られている。これは、鳥類が頻繁に飛来し、停留する箇所に金属線を張り巡らせて、この金属線を高電圧のパルス電流により通電するシステムで、この停留箇所に飛来した鳥類が金属線に触れると、適度の電気ショックを体感し、この電気ショックの体感学習効果により、鳥類の飛来を防止するものである。
【０００４】
この種の鳥類飛来防止装置の一例が特許文献１に記載されている。この文献１の鳥類飛来防止装置は、硬質の金属棒からなる２本以上の導電体（高電圧側及びアース側の導電線）と、それを担持する２個以上の絶縁性担持体とを備え、各絶縁性担持体は導電体を挿通するための２個以上の貫通穴が設けられ、所定位置に間隔をおいて設置され、導電体が絶縁性担持体の貫通穴に摺動可能に挿通される。この場合、導電体はバネ用ステンレス鋼棒が採用される。絶縁性担持体は合成ゴム製で、その形状は側面視Ｌ形で、その１辺に２個以上の貫通穴、又は各１辺にそれぞれ１個以上の貫通穴が設けられる。なお、導電体の一端は電源（高電圧パルス発生装置）に導線で接続される（この場合、一方の導電体は正極に、他方の導電体は負極に接続される）。このようにして２本以上の導電体が絶縁性担持体を介して設置面（鳥類が頻繁に飛来し、停留する箇所）に設置され、鳩や烏などが足で導電体を掴むと、その瞬間に体内に電気が流れるようになっている。
【特許文献１】特開２００５−１６８３７１公報
【考案の開示】
【考案が解決しようとする課題】
【０００５】
しかしながら、上記従来の鳥類飛来防止装置では、担持体全体が合成ゴムで形成されているため、概ね５年〜６年で劣化し、長期の使用に耐えないという問題がある。
【０００６】
本考案は、このような従来の問題を解決するもので、この種の鳥類飛来防止装置において、設置作業が簡易で、美観、強度、耐久性に優れ、長期に亘って使用できるようにすること、を目的とする。
【課題を解決するための手段】
【０００７】
上記目的を達成するために、本考案の鳥類飛来防止装置は、高電圧側及びアース側の導電線と、前記各導電線を並列に支持、配線する碍子とを備え、鳥類の飛来、停留する停留箇所に設置されて、鳥類に適度の電気ショックを体感させる鳥類飛来防止装置において、前記碍子は、座部と、前記座部上に立ち上げられ、前記導電線を通す少なくとも２つの挿通部を有する支持配線部とを備え、これら座部及び支持配線部は硬質の金属材により一体に、かつ薄形扁形に形成され、前記挿通部のうち高電圧側の導電線を通す挿通部に、絶縁性及び弾力性を有する筒形形状の保持部材が挿着固定されたことを要旨とする。この場合、導電線及び碍子はステンレス鋼により形成され、保持部材はゴム材により形成されることが好ましい。
【０００８】
また、本考案の鳥類飛来防止装置は、導電線と、前記導電線を支持、配線する碍子とを備え、鳥類の飛来、停留する停留箇所に設置されて、前記導電線の通電により、鳥類に適度の電気ショックを体感させる鳥類飛来防止装置において、前記碍子は、座面及び前記座面に対して傾斜状の取付面を有するベースと、前記ベースの取付面上に突設され、先端に前記導電線を通すリングを有する支持配線部材とを備え、前記ベースは硬質の金属材により一体に、かつ薄形扁形に形成されて、前記取付面に取付穴が穿設され、前記支持配線部材は絶縁性及び弾力性を有する筒状部材、及び前記筒状部材の外周に巻き付けられたスプリングにより形成され、前記ベースの取付穴に挿着固定されたことを要旨とする。この場合、導電線及び碍子のベースはステンレス鋼により形成され、筒状部材はゴム材により形成されることが好ましい。導電線と平行にアース側の導電線が設置されることが好ましい。
【考案の効果】
【０００９】
本考案の鳥類飛来防止装置は、上記各構成により、設置作業が簡易で、美観、強度、耐久性に優れ、長期に亘って使用することができるという格別な効果を奏する。
【考案を実施するための最良の形態】
【００１０】
以下、この考案の実施の形態について図を用いて説明する。図１及び図２に第１の実施の形態を示している。図１及び図２に示すように、鳥類飛来防止装置１は、高電圧側及びアース側の導電線１１、１２と、これらの導電線１１、１２を並列に支持、配線する碍子１３とを備える。
【００１１】
高電圧側及びアース側の導電線１１、１２は、硬質の金属材により、所定の径及び長さに形成される。この場合、硬質の金属材は鳩や烏などの鳥類あるいは（マンションのベランダに干される）布団などの重量で大きな撓みが生じない程度に剛性を有することが必要で、バネ用ステンレス鋼の丸棒材などが好ましい。また、この場合、高電圧側の導電線１１は１本、アース側の導電線１２は２本使用される。なお、高電圧側の導電線１１は少なくとも１本あればよく、２本又はそれ以上あってもよい。アース側の導電線１２も同様に、少なくとも１本あればよく、２本又はそれ以上あってもよい。
【００１２】
碍子１３は、座部１４と、座部１４上に立ち上げられ、３本の導電線１１、１２、１２を通す３つの挿通部１７、１８、１８を有する支持配線部１６とを備え、硬質の金属材により一体に、かつ薄形扁形に形成される。この場合、硬質の金属板に、ＳＵＳ４３０等のステンレス鋼が採用される。このステンレス鋼から、プレス加工により、半円形の上部と、この上部の下に連続する略矩形状の中間部と、この中間部の下に幅方向（左右方向）中央にスリットを入れて連続する２分割された略矩形状の下部とを有する碍子１３の外形基本形状が打抜きされ、併せて上部の上縁部中央に上部の片面側に円筒状に突出する１つの挿通部（挿通穴）１７が形成されるとともに、中間部の（左右）両側対称位置にそれぞれ円形に、２つの挿通部（挿通穴）１８、１８が穿たれ、さらに、下部の各分割片に１つずつ接着剤用の貫通穴１５が穿たれる。そして、この碍子１３の外形基本形状から、プレス加工により、下部の２分割片がそれぞれ中間部に対して相互に反対方向の直角に折り曲げられる。このようにして２分割された略矩形状の下部は貫通穴１５を有する座部１４に、略半円形の上部及び略矩形状の中間部が３つの挿通部１７、１８、１８を有する支持配線部１６となって、座部１４と支持配線部１６が一体に、かつ薄形扁形に形成される。なお、座部１４の下面には、仮止め用の（粘着面が剥離紙で保護された）粘着テープが貼着される。
【００１３】
この碍子１３の場合、既述のとおり、支持配線部１６に３つの挿通部１７、１８、１８が設けられる。この碍子１３に３つの挿通部１７、１８、１８を設けるに当たり、高電圧側の導電線１１の挿通部１７とアース側の導電線１２、１２の各挿通部１８、１８との間隔は、高電圧側の導電線１１とアース側の各導電線１２、１２が鳥類が（両）足で触れることができる間隔に配線されること、また、高電圧側の導電線１１とアース側の各導電線１２、１２とのスパークを防止することを考慮して、適宜の寸法が確保される。これら３つの挿通部１７、１８、１８のうち、支持配線部１６上部の、片側一方の面に円筒状に突出する挿通部１７は高電圧側の導電線１１を通す挿通部で、この挿通部１７に絶縁性及び弾力性を有する筒形形状の保持部材１９が挿着固定される。この場合、保持部材１９は硬質のゴム材により形成され、内周は高電圧側の導電線１１を挿通可能な円筒状に、外周は軸方向に向けて延びる複数の突状を有して、碍子１３の挿通部１７に圧入可能になっている。なお、この保持部材１９の外形は任意で、例えば円筒形状でもかまわない。この保持部材１９は所定の長さを有し、支持配線部１６の挿通部１７に圧入により挿着固定され、挿通部１７の両開口端から少し突出される。また、支持配線部１６の他の２つの挿通部１８、１８はアース側の各導電線１２、１２を通す挿通部で、各導電線１２、１２を直接通すようになっている。
【００１４】
この鳥類飛来防止装置１は、鳥類の飛来、停留する所定の停留箇所に設置される。この鳥類飛来防止装置１を設置する場合、まず、当該停留箇所に適宜数の碍子１３を所定の間隔で設置する。この場合、各碍子１３を所定の位置に座部１４下面の粘着テープで仮止めしてから、各碍子１４を順次本止めする。各碍子１３の本止めは特殊な接着剤により行い、各碍子１３の座部１４下面に接着剤を塗布して、座部１４を所定位置に押し付ければよい。これにより、接着剤は座部１４下面及び座部１４の貫通穴１５から座部１４上面に膨出して固化され、碍子１３が固着される。このようにして適宜数の碍子１３を設置した後、これらの碍子１３を介して各導電線１１、１２、１２を配線する。この場合、高電圧側の導電線１１を各碍子１３上部の挿通部１７に保持部材１９を介して挿通し、アース側の各導電線１２、１２を各碍子１３下部の各挿通部１８、１８に挿通する。これにより上段に１本の高電圧側の導電線１１が配線され、下段に高電圧側の導電線１１に対して両側に２本のアース側の導電線１２、１２が配線される。そして、高電圧側の導電線１１を導線により電源の正極に接続し、アース側の各導電線１２、１２を導線により電源の負極に接続する。なお、この場合、電源に、高圧（最大出力電圧９０００Ｖ−無負荷時）、微電流（４ｍｍＡ）の高電圧パルス発生装置を使用する。
【００１５】
このようにして鳥類飛来防止装置１は所定の停留箇所に設置される。そして、鳩や烏などの鳥類が当該停留箇所に飛来、停留しようとすると、鳥類の（両）足又は体の一部が高電圧側及びアース側の導電線１１、１２に触れた瞬間に、（高電圧のパルス電流による）電気ショックを体感し、即時に当該停留箇所から逃避し、この電気ショックの体感学習効果により当該停留箇所へ飛来することがない。また他の鳥類が飛来しても同様に、鳥類の飛来を確実に防止することができる。
【００１６】
以上説明したように、この鳥類飛来防止装置１では、特に碍子１３を、座部１４と、座部１４上に立ち上げ、導電線１１、１２を通す少なくとも２つの挿通部１７、１８を有する支持配線部１６とにより構成し、これら座部１４及び支持配線部１６をステンレス鋼など硬質の金属材により一体に、かつ薄形扁形に形成して、挿通部１７、１８のうち高電圧側の導電線１１を通す挿通部１７に、硬質のゴム材などで形成し、絶縁性及び弾力性を有する筒形形状の保持部材１９を挿着固定して、高電圧側の導電線を通す挿通部１７に高電圧側の導電線１１を保持部材１９を介して挿通し、アース側の導電線を通す挿通部１８に直接、アース側の導電線１２を挿通する形式を取るので、従来のゴム製の碍子に比べて、碍子１３の美観、強度、耐久性は共に優れ、長期に亘って使用することができる。この碍子１３の場合、保持部材１９を８年〜１０年、碍子１３本体を２０年〜２５年に亘って使用することができるので、保持部材１９を交換することで、碍子１３を長く使用することができ、全体としてコストを低く抑えることができる。また、設置作業も既述のとおり簡易に行うことができる。
【００１７】
また、この鳥類飛来防止装置１の場合、各導電線１１、１２をステンレス鋼により形成し、特に、高電圧側の導電線１１を絶縁性及び弾力性を有する筒形形状の保持部材１９で保持するので、鳥類が各導電線１１、１２に乗っても、各導電線１１、１２の撓みは少なく、高電圧側の導電線１１の撓みを抑えて、高電圧側の導電線１１とアース側の導電線１２との接触を確実に防止することができる。さらに、高電圧側の導電線１１を絶縁性及び弾力性を有する筒形形状の保持部材１９で保持することで、布団を外に干すために、布団を高電圧側の導電線１１の上から掛けてしまっても、高電圧側の導電線１１の保持部材１９によりその外力を吸収することができ、本装置１の損傷を防止することができる。
【００１８】
図３に第２の実施の形態を示している。図３において、鳥類飛来防止装置２は、導電線２１と、この導電線２１を支持、配線する碍子２３とを備える。
【００１９】
導電線２１は１本で、硬質の金属材により、所定の径及び長さに形成される。この場合も、第１の実施の形態と同様に、硬質の金属材は鳩や烏などの鳥類あるいは（マンションのベランダに干される）布団などの重量で大きな撓みが生じない程度に剛性を有することが必要で、バネ用ステンレス鋼の丸棒材などが採用される。
【００２０】
碍子２３は、座面２４１及びこの座面２４１に対して傾斜状の取付面２４２を有するベース２４と、ベース２４の取付面２４２上に突設され、先端に導電線２１を通すリング２５を有する支持配線部材２６とを備える。ベース２４は硬質の金属材により一体に、かつ薄形扁形に形成される。この場合、金属材はＳＵＳ４３０等のステンレス鋼などで、プレス加工により、座面２４１は略矩形状の平面形状に形成されるとともに、取付面２４２は上部が略半円形状、下部が略矩形状の平面形状に形成され、また、座面２４１に接着剤用の貫通穴２４０が穿たれ、取付面２４２に支持配線部材２６の取付穴２４３が穿たれる。支持配線部材２６は絶縁性及び弾力性を有する筒状部材２７、及び筒状部材２７の外周に巻き付けられたスプリング２８により形成される。この場合、筒状部材２７は硬質のゴム材により形成され、スプリング２８は金属材により形成され、筒状部材２７の外周面に緊縛した状態に捲き付けられる。また、リング２５は金属材により形成され、固定軸を有し、この固定軸が筒状部材２７の先端部において軸芯上に挿着されて一体化される。なお、スプリング２８は筒状部材２７の先端部よりも基部側で終端しており、このスプリング２８とリング２５が接触しないようになっている。このようにして配線支持部材２６はベース２４の取付穴２４０に圧入により挿着固定される。なお、座面２４１の下面には、仮止め用の（粘着面が剥離紙で保護された）粘着テープが貼着される。
【００２１】
この鳥類飛来防止装置２は、鳥類の飛来、停留する所定の停留箇所に設置される。この装置２の場合、導電線２１は高電圧側の導電線で、設置場所にこの導電線２１と平行にアース側の導電線又は導電性部材が併せて設置される。この場合、アース側の導電線又は導電性部材は設置場所に既設のものを利用してもよく、新設してもよい。
【００２２】
この鳥類飛来防止装置２を設置する場合、まず、当該停留箇所に適宜数の碍子２３を所定の間隔で設置する。この場合、各碍子２３を所定の位置に座面２４１下面の粘着テープで仮止めしてから、各碍子２３を順次本止めする。各碍子２３の本止めは特殊な接着剤により行い、各碍子２３の座面２４１下面に接着剤を塗布して、座面２４１を所定位置に押し付ければよい。これにより、接着剤は座面２４１下面及び座面２４１の貫通穴２４０から座面２４１上面に膨出して固化され、碍子２３が固着される。このようにして適宜数の碍子２３を設置した後、これらの碍子２３を介して導電線２１を配線する。この場合、導電線２１を各碍子２３上部のリング２５に挿通すればよい。そして、この導電線２１を導線により電源の正極に接続する。この場合も、電源に、高電圧パルス発生装置を使用する。アース側としては碍子２３が取り付けられる躯体の金属部分とする。この金属部分がないときは、アース用の導線を碍子２３の座面２４１間にわたして張設する。
【００２３】
このようにして鳥類飛来防止装置２は所定の停留箇所に設置される。そして、鳩や烏などの鳥類が当該停留箇所に飛来、停留しようとすると、鳥類の（両）足又は体の一部が高電圧側の導電線２１及びアース側の導電線又は導電性部材に触れた瞬間に、（高電圧のパルス電流による）電気ショックを体感し、即時に当該停留箇所から逃避し、この電気ショックの体感学習効果により当該停留箇所へ飛来することがない。また他の鳥類が飛来しても同様で、鳥類の飛来を確実に防止することができる。
【００２４】
このように碍子２３を、座面２４１及び座面２４１に対して傾斜状の取付面２４２を有するベース２４と、ベース２４の取付面２４２上に突設し、先端に導電線２１を通すリング２５を有する支持配線部材２６とにより構成し、ベース２４をステンレス鋼などの硬質の金属材により一体に、かつ薄形扁形に形成し、取付面２４２に取付穴２４０を穿ち、支持配線部材２６を絶縁性及び弾力性を有する筒状部材２７の外周にスプリング２８を巻き付けて形成し、ベース２４の取付穴２４０に挿着固定して、支持配線部材２６のリング２５に導電線２１を挿通し、この導電線２１と平行にアース側の導電線又は導電性部材を配設する形式を取るので、従来のゴム製の碍子に比べて、碍子２３の美観、強度、耐久性は共に優れ、長期に亘って使用することができる。この碍子２３の場合、支持配線部材２６を８年〜１０年、ベース２４を２０年〜２５年に亘って使用することができるので、支持配線部材２６を交換することで、碍子２３を長く使用することができ、全体としてコストを低く抑えることができる。また、設置作業も既述のとおり簡易に行うことができる。
【００２５】
また、この鳥類飛来防止装置２の場合、導電線２１をステンレス鋼により形成し、この導電線２１を絶縁性及び弾力性を有する筒状部材２７の外周にスプリング２８を巻き付けて形成した支持配線部材２６で支持するので、鳥類が各導電線に乗っても、導電線２１の撓みを抑えて、この導電線２１とアース側の導電線又は導電性部材との接触を確実に防止することができ、さらに、布団を外に干すために、布団をこの導電線の上から掛けてしまった場合でも、この導電線２１の支持配線部材２６によりその外力を吸収することができ、本装置２の損傷を防止することができる。
【図面の簡単な説明】
【００２６】
【図１】本考案の第１の実施の形態における鳥類飛来防止装置の斜視図
【図２】同鳥類飛来防止装置の側面図
【図３】本考案の第２の実施の形態における鳥類飛来防止装置の斜視図
【符号の説明】
【００２７】
１  鳥類飛来防止装置
１１  高電圧側の導電線
１２  アース側の導電線
１３  碍子
１４  座部
１５  貫通穴
１６  支持配線部
１７  挿通部
１８  挿通部
１９  保持部材
２  鳥類飛来防止装置
２１  導電線
２３  碍子
２４  ベース
２４０  貫通穴
２４１  座面
２４２  取付面
２４３  取付穴
２５  リング
２６  支持配線部材
２７  筒状部材
２８  スプリング
【図１】
0003125254.tif 000003
【図２】
0003125254.tif 000004
【図３】
0003125254.tif 000005